(57)【特許請求の範囲】
【請求項１】
内部にガス交換室が形成された人工肺本体の少なくとも一部を覆うように装着される保護カバーであって、
前記人工肺本体に対して、いずれか一方が前面側に他方が後面側にそれぞれ配置される第１及び第２枠体を備え、
前記第１枠体は、上下端部に各々、前記人工肺本体への装着状態において前記第２枠体に向かって延びる左右一対の係合片を有し、前記係合片の先端には係合爪が設けられ、
前記第２枠体は、上下端部に各々、前記人工肺本体への装着状態において前記第１枠体に向かって延びる肩部を有し、前記肩部には、前記係合爪に対応させて配置され前記係合爪の各々が嵌合可能なように設けられた左右一対の係合穴を有し、
前記第２枠体の係合穴は、前記第１枠体からの距離が異なる複数列の前記左右一対の係合穴を含み、
前記第２枠体は、左右の側壁部に前記第１枠体に向かって張り出した調整側壁を有し、前記調整側壁と前記側壁部との境界には、前記調整側壁の除去を容易にする分離境界部が形成されていることを特徴とする人工肺の保護カバー。
【請求項２】
前記係合爪は、前記係合片の面と交差する方向に突出する縦方向凸部を形成しており、
前記係合穴の内周の端縁のうち左右方向に伸びる部分である横方向内端縁に前記係合爪の前記縦方向凸部が当接することにより、前記係合爪と前記係合穴が係合するように構成された請求項１に記載の人工肺の保護カバー。
【請求項３】
前記係合爪は、前記縦方向凸部に加えて、前記係合片の側端の一方から突出する横方向凸部を備え、
前記係合穴の前記横方向内端縁の一方の側部から上下方向に伸びる縦方向端縁が形成され、前記係合爪と前記係合穴の係合時には、前記係合爪の前記横方向凸部が前記縦方向端縁に当接するように構成され、
前記係合爪と前記係合穴の係合を解放するためには、前記縦方向凸部と前記横方向内端縁の当接を上下方向に外すとともに、前記横方向凸部と前記縦方向端縁の当接を左右方向に外すことが必要である請求項２に記載の人工肺の保護カバー。
【請求項４】
前記第１または第２枠体には、他の医療用装置と人工肺とを連結するための結合部が設けられている請求項１に記載の人工肺の保護カバー。
【発明の詳細な説明】
【技術分野】
【０００１】
本発明は、人工肺の人工肺本体に装着される保護カバー、特に、異なる厚さの人工肺本体に対してそれぞれ適合させることが可能な構成を有する保護カバーに関する。
【背景技術】
【０００２】
心臓手術においては、患者の心臓を停止させ、その間の呼吸及び循環機能を代行するために、人工心肺装置が用いられる。人工肺は、患者の肺に代わって血液に酸素を供給し、二酸化炭素を排出させる機能を提供して、体外血液循環を可能とする。
【０００３】
人工肺はガス交換部を有し、ハウジング内にガス交換のための要素（例えば中空糸束）が内蔵されている。一般的には、ガス交換部に対して熱交換部が併設された構造が採用される場合も多い。熱交換部には、熱交換用のパイプが配置される。熱交換部及びガス交換部を横切って貫通する血液流路が形成され、血液が熱交換部及びガス交換部の順に流される。熱交換用のパイプを通して冷温水が流され、中空糸束を通して酸素含有ガスが流される。従って、血液流路を通る血液は、熱交換部で温度が調整され、ガス交換部ではガス交換により酸素を吸収し炭酸ガスを排出する。
【０００４】
このような人工肺において、ガス交換部及び熱交換部は、構造上、衝撃に弱く、衝撃により内部のシールが破壊されると、シール漏れが生じる場合がある。この場合、熱交換部またはガス交換部での血液漏出により、血液汚染が発生する惧れがある。
【０００５】
そのような事態を回避するため、人工肺に、ガス交換部及び熱交換部を衝撃から守る保護カバーを取り付けることが、例えば特許文献１に開示されている。保護カバーは、ガス交換部及び熱交換部を覆うように構成され、取り付けを容易にするために分割可能となっている。すなわち、保護カバーは、人工肺本体の前面側に装着される第１枠体と、後面側に装着される第２枠体とからなる。第１枠体には、係合爪が設けられ、第２枠体には係合穴が設けられて、人工肺本体に装着されたときに、係合爪と係合穴が係合し両枠体が一体化して、人工肺本体に対して、衝撃が直接及ぶことのないように保護する。
【０００６】
また、体外血液循環を行うための血液回路には、人工肺とともに、回路内の血液量を調整し、返血量を一定に保つための緩衝機能が必要である。さらに、術野から血液を吸引し異物を瀘別除去した後、返血するラインも設けられる。そのため、脱血した血液を一時的に貯留し、また術野から吸引された血液を瀘過し一時的に貯留しておくための貯血槽が用いられる。従って、体外血液循環回路においては、人工肺とともに貯血槽が用いられるのが一般的であり、以下の記載における体外循環処理装置とは、人工肺と貯血槽とを組み合わせた装置を意味する。
【０００７】
一方、手術室内の各種機器の配置スペースを確保するために、体外循環処理装置の構成要素である人工肺と貯血槽間の距離を短くすることが望ましい。装置間の距離を短くするため、また、体外血液循環回路を構成する際の取扱いの簡便性のためにも、貯血槽と人工肺を連結して一体化することが可能であることが望ましい。
【０００８】
そのように、貯血槽と人工肺を連結するために、保護カバーの第１枠体には連結部材と結合させるための結合部が設けられる。結合部は第１枠体の上部に設けられ、連結部材と人工肺は、結合部での嵌合を介して相互に回動可能となっている。このように、保護カバーは、人工肺本体を衝撃から防護するための機能、及び貯血槽と連結するための連結部材と結合する機能を兼備している。
【先行技術文献】
【特許文献】
【０００９】
【特許文献１】特開２０１０−２８４２０１号公報
【発明の概要】
【発明が解決しようとする課題】
【００１０】
人工肺は、患者の年齢、体格等に併せたサイズのものを用いる必要がある。そのため、複数のサイズの人工肺が作製され、従来例のような保護カバーも、人工肺本体のサイズ毎に複数種類のサイズのものを作製する必要があった。
【００１１】
異なるサイズの人工肺本体に適合させるために必要な保護カバーの形態の変更は、人工肺本体の厚み方向の寸法のみである。それにも拘わらず、それぞれのサイズに応じた種類の保護カバーを作製するためには、それぞれの金型を作製し、また、それぞれ別の製造工程が必要である。従って、製造コストを低減するため、異なるサイズの人工肺本体に対して各々適合させることが可能なように、保護カバーを共用化することが望まれていた。
【００１２】
従って本発明は、厚さの異なる複数種類のサイズの人工肺本体に対して容易に適合させることが可能な人工肺の保護カバーを提供することを目的とする。
【課題を解決するための手段】
【００１３】
上記課題を解決するために、本発明の人工肺の保護カバーは、内部にガス交換室が形成された人工肺本体の少なくとも一部を覆うように装着され、前記人工肺本体に対して、いずれか一方が前面側に他方が後面側にそれぞれ配置される第１及び第２枠体を備え、前記第１枠体は、上下端部に各々、前記人工肺本体への装着状態において前記第２枠体に向かって延びる左右一対の係合片を有し、前記係合片の先端には係合爪が設けられ、前記第２枠体は、上下端部に各々、前記人工肺本体への装着状態において前記第１枠体に向かって延びる肩部を有し、前記肩部には、前記係合爪に対応させて配置され前記係合爪の各々が嵌合可能なように設けられた左右一対の係合穴を有し、前記第２枠体の係合穴は、前記第１枠体からの距離が異なる複数列の前記左右一対の係合穴を含み、前記第２枠体は、左右の側壁部に前記第１枠体に向かって張り出した調整側壁を有し、前記調整側壁と前記側壁部との境界には、前記調整側壁の除去を容易にする分離境界部が形成されていることを特徴とする。
【発明の効果】
【００１４】
上記構成によれば、第１枠体に設けられた係合片の先端の係合爪と、第２枠体に設けられた係合爪の係合により両枠体が合体し、第１枠体からの距離が異なる複数列の左右一対の係合穴を含むことにより、厚さの異なる複数種類のサイズの人工肺本体に対して容易に適合させることが可能である。
【図面の簡単な説明】
【００１５】
【図１】本発明の実施の形態における保護カバーが装着された人工肺を含む体外循環処理装置の側面図
【図２】体外循環処理装置の要素である人工肺と連結部材を結合させた構造体の正面側から見た状態を示す斜視図
【図３】図２の状態から連結部材を取り外した人工肺のみを示す斜視図
【図４】同人工肺の背面側から見た状態を示す斜視図
【図５】図４に示した人工肺について人工肺本体と保護カバーとに分解した状態を示す斜視図
【図６】厚みの異なる２種類の人工肺本体の形態を示す側面図
【図７】保護カバーを第１枠体と第２枠体に分解して背面側から見た状態を示す斜視図
【図８】図７の分解した状態の保護カバーの平面形状を示す上面図
【図９】保護カバーの第２枠体の２種類の状態を示す側面図
【図１０】図６に示した厚みの薄い方の人工肺本体を用いた人工肺について、保護カバーを分解した状態を示す斜視図
【図１１】本発明の実施の形態における保護カバーの第１枠体の要部について説明するための斜視図
【図１２】同保護カバーの第２枠体の要部について説明するための斜視図
【発明を実施するための形態】
【００１６】
本発明の人工肺の保護カバーは、上記構成を基本として、以下のような態様をとることができる。
【００１７】
すなわち、前記第２枠体は、左右の側壁部に前記第１枠体に向かって張り出した調整側壁を有し、前記調整側壁と前記側壁部との境界には、前記調整側壁の除去を容易にする分離境界部が形成された構成とすることができる。
【００１８】
前記係合爪は、前記係合片の面と交差する方向に突出する縦方向凸部を形成しており、前記係合穴の内周の端縁のうち左右方向に伸びる部分である横方向内端縁に前記係合爪の前記縦方向凸部が当接することにより、前記係合爪と前記係合穴が係合する構成とすることができる。
【００１９】
また、前記係合爪は、前記縦方向凸部に加えて、前記係合片の側端の一方から突出する横方向凸部を備え、前記係合穴の前記横方向内端縁の一方の側部から上下方向に伸びる縦方向端縁が形成され、前記係合爪と前記係合穴の係合時には、前記係合爪の前記横方向凸部が前記縦方向端縁に当接するように構成され、前記係合爪と前記係合穴の係合を解放するためには、前記縦方向凸部と前記横方向端縁の当接を上下方向に外すとともに、前記横方向凸部と前記縦方向端縁の当接を左右方向に外すことが必要である構成とすることができる。
【００２０】
また、前記第１または第２枠体には、他の医療用装置と人工肺とを連結するための結合部が設けられている構成とすることができる。
【００２１】
以下、本発明の実施の形態について、図面を参照して説明する。下記の実施の形態では、体外循環処理装置に組み込まれる人工肺を例として、その保護カバーが開示される。但し、この保護カバーは、このような態様での人工肺への適用に限定されることなく、種々の態様における人工肺に適用可能である。
【００２２】
＜実施の形態＞
図１は、本発明の一実施の形態における保護カバーが装着された人工肺を含む体外循環処理装置を示す側面図である。この体外循環処理装置は、体外血液循環回路中に組み込んで用いられ、貯血槽１と人工肺２を連結部材３により連結して構成されている。人工肺２と連結部材３が結合された構造体の正面側から見た斜視図を、図２に示す。図２の状態から連結部材３を取り外した人工肺２のみの構造を、図３に斜視図で示す。図４は、人工肺の背面側から見た状態を示す斜視図である。図５は、図４に示した人工肺について、人工肺本体と保護カバーとに分解した状態を示す斜視図である。
【００２３】
図１に示すように、貯血槽１は、本体部４と、本体部４の上部に載置された蓋体（不図示）とを有する。本体部４は、その底面の中心から外れた一部が下方に突出して形成された貯血室５を有し、貯血室５の下端には、血液が流出する血液流出ポート６が設けられている。本体部４の底面の貯血室５から隔たった位置に、下方に突出させて支持部７が設けられている。この支持部７における下側部分は、円筒状の結合部８を形成している。結合部８の下端側には、連結部材３の一端側に設けられた第１嵌合部９が嵌合している。連結部材３の他端側には第２嵌合部１０が設けられ、人工肺２に設けられた結合部１１と嵌合する。これにより、貯血槽１と人工肺２が連結部材３により連結される。
【００２４】
貯血槽１の支持部７は、さらに、貯血槽１を支持するための支持装置の一部を構成するホルダ１２と結合させる部位を有する。ホルダ１２により、貯血槽１を所望の状態に支持することができる。貯血槽１は、周知の構成と同様、静脈血流入ポートから流入する血液を濾過する静脈血濾過網が槽内に保持され、また、心内血流入ポートから流入する血液から除泡するためのカーディオトミー部が配置された構成とすることができる。
【００２５】
図２に示すように、連結部材３の第１嵌合部９は、円筒状内周面９ａを有する。図１に示す貯血槽１の結合部８には、円筒状外周面８ａを形成する領域が設けられ、この領域に、円筒状内周面９ａが嵌合している。この嵌合を介して、連結部材３は、貯血槽１に対して回動自在である。貯血槽１の結合部８と連結部材３の第１嵌合部９の嵌合構造には、図示は省略するが、例えば、結合部８に設けられ、円筒状外周面８ａと円筒状内周面９ａの嵌合を保持するための機構が含まれる。
【００２６】
また、人工肺２の結合部１１は、図３等に示されるように、円筒状の外周面を有し、その外側に連結部材３の第２嵌合部１０が嵌合する。これにより、連結部材３と人工肺２は、結合部１１での嵌合を介して相互に回動可能である。第２嵌合部１０の上部の側部には、図１、図２に示されるように、係止レバー１３が設けられ、詳細についての説明は省略するが、第２嵌合部１０と人工肺２の結合部１１の嵌合の脱離を規制するように構成されている。
【００２７】
図１、図２に示されるように、連結部材３は、第１、第２嵌合部９、１０を一体化させた構造を有し、第１嵌合部９の回動の中心軸と第２嵌合部１０の回動の中心軸は、互いに平行であって、相互間に間隔を設けて配置された構成となっている。このような連結部材３を介した連結構造により、連結部材３と貯血槽１は互いに、第１嵌合部９の上下方向に延びる中心軸の周りに回動可能である。また、人工肺２と連結部材３は互いに、第２嵌合部１０の上下方向に延びる中心軸の周りに回動可能である。従って、人工肺２は、第２嵌合部１０の中心軸の周りに自転可能、かつ貯血槽１の結合部８の周りに公転可能であり、貯血槽１に対する人工肺２の位置及び姿勢について、高い調整の自由度が得られる。
【００２８】
図１に示すように、人工肺２は、熱交換部１４及びガス交換部１５を有し、ハウジング内にそれぞれ熱交換及びガス交換のための周知の構成を有する要素が収納されている。すなわち、図示は省略するが、熱交換部１４の内腔には、熱交換のためのステンレスパイプ束が配置されている。ガス交換部１５の内腔には中空糸膜の束である中空糸束が配置されている。ステンレスパイプ束及び中空糸束の外周領域には、両端は露出させてシール部材が充填され、その内腔が、ステンレスパイプ束及び中空糸束を水平方向に横断して延在する円筒状の血液流路を形成している。
【００２９】
熱交換部１４及びガス交換部１５を水平方向に貫通する血液流路の両端に対応するハウジングの外殻壁に、血液の流入、流出用の血液ポート１６、１７が設けられている。熱交換部１４の左右端部には各々、熱交換液である冷水または温水を流入出させるための冷温水ポート１８（図２参照）、１９が設けられている。ガス交換部１５の上下端部には各々、酸素含有ガスを導入、導出するためのガスポート２０、２１が設けられている。
【００３０】
冷温水ポート１８から流入する熱交換液である冷水または温水は、各ステンレスパイプの一端から進入し、各ステンレスパイプの他端を経由して冷温水ポート１９から流出する。その間に、血液流路を流れる血液との間で熱交換が行われる。一方、ガスポート２０から流入する酸素含有ガスは、各中空糸膜の一端から進入し、各中空糸膜の他端を経由してガスポート２１から流出する。その間に、血液流路を流れる血液との間でガス交換が行われる。
【００３１】
なお、この人工肺２の構成は一例であり、他の構成であっても、本実施の形態の貯血槽との連結構造を適用することができる。人工肺２は、熱交換部１４及びガス交換部１５から構成されているものに限らず、ガス交換部１５のみで構成されていても、本実施の形態の連結構造を適用可能である。
【００３２】
図５に示すように、人工肺２は、人工肺本体２２のハウジングの外側に、保護カバー２３が装着された構造を有する。保護カバー２３は、人工肺本体２２の前面側に装着される第１枠体２４と、後面側に装着される第２枠体２５とを組み合わせた構造体である。第１枠体２４の上部には、連結部材３と結合する上述の結合部１１が設けられている。第１、第２枠体２４、２５にはそれぞれ、円孔２４ａ、２５ａが設けられており、血液ポート１６、１７を突出させている。
【００３３】
第１枠体２４の上下端部には、第２枠体２５に向かって延在する係合片２６が設けられ、その先端に係合爪２７が形成されている。第２枠体２５の上下端部には、第１枠体２４に向かって延在する肩部２８が設けられ、係合穴２９、３０が形成されている。第１、第２枠体２４、２５が人工肺本体２２に装着されたときに、係合爪２７が係合穴２９または３０に係合する。この係合により第１、第２枠体２４、２５が一体化して、人工肺本体２２に固定される。
【００３４】
上記構成を有する本実施の形態の保護カバー２３は、図６（ａ）及び（ｂ）に示すような、２種類の人工肺本体２２Ａ及び２２Ｂに対して装着可能なように構成されている。なお、以下の記載において、人工肺本体２２Ａ、２２Ｂに共通の事項を説明する場合は、総括して人工肺本体２２と記述する。人工肺本体２２Ａ、２２Ｂは、基本的には同様に上述のとおりの構成を有する。相違点は、人工肺本体２２Ａの血液流路方向における厚さが、人工肺本体２２Ｂの厚さよりも厚いことである。
【００３５】
このように、厚さの異なる２種類の人工肺本体２２Ａ、２２Ｂに対してそれぞれ適合させることを可能とするための保護カバー２３の構成について、図７〜図９を参照して説明する。なお、本実施の形態の説明では、人工肺本体２２Ａ、２２Ｂの前面側に第１枠体２４が配置され、後面側に第２枠体２５が配置されるが、以下に説明する効果を得るためには、逆の配置であってもよい。
【００３６】
まず、基本的な構成としては、図７に示すように、第１枠体２４の係合片２６は、上下端部に各々、左右一対で設けられており、人工肺本体２２への装着状態において第２枠体２５に向かって延在する。係合爪２７は、係合片２６の面と交差する方向（概ね直交する方向）に突出している。図では、上端の係合片２６では係合爪２７は上方に突出し、下端の係合片２６では係合爪２７は下方に突出している。
【００３７】
第２枠体２５の上下の肩部２８には各々、係合爪２７に対応させて配置され係合爪２７の各々が嵌合可能なように設けられた左右一対で２列の係合穴２９、３０が設けられている。第１列の左右一対の係合穴２９は、第１枠体２４からの距離が近い位置に配置されている。第２列の左右一対の係合穴３０は、第１列の係合穴２９よりも第１枠体２４からの距離が遠い位置に配置されている。
【００３８】
第１枠体２４の係合爪２７は、第１列の係合穴２９、または第２列の係合穴３０に対して、選択的に係合可能である。係合爪２７を第１列の係合穴２９に係合させた状態では、第１枠体２４と第２枠体２５の間隔が大きく、図６（ａ）に示した厚い方の人工肺本体２２Ａに適切に装着することができる。一方、係合爪２７を第２列の係合穴３０に係合させた状態では、第１枠体２４と第２枠体２５の間隔が狭くなり、図６（ｂ）に示した薄い方の人工肺本体２２Ｂに適切に装着することができる。このようにして、本実施の形態の保護カバー２３は、厚さの異なる２種類の人工肺本体２２Ａ及び２２Ｂのいずれに対しても、適切に装着可能である。
【００３９】
また、図７等に示すように、第２枠体２５の左右の側壁部３１には、第１枠体２４に向かって張り出した調整側壁３２が設けられている。調整側壁３２と側壁部３１との境界部には、分離境界部３３が形成されている。分離境界部３３は、例えば浅い溝、複数の孔の列等からなり、この部分で調整側壁３２を容易に折取ることができる。あるいは、調整側壁３２を、脆弱な素材で形成することにより、容易に折取ることができるようにしてもよい。図９（ａ）に、調整側壁３２が除去されていない状態を、図９（ｂ）に、調整側壁３２が除去された状態を示す。
【００４０】
このように、調整側壁３２の有無によって、第１枠体２４と第２枠体２５の側部領域の間隔を調整することができる。図６（ａ）の厚い人工肺本体２２Ａに装着する場合は、図５に示したように、保護カバー２３は図９（ａ）の調整側壁３２が除去されていない状態で用いられる。図６（ｂ）の薄い人工肺本体２２Ｂに装着する場合は、図１０に示すように、保護カバー２３は図９（ｂ）の調整側壁３２が除去された状態で用いられる。これにより、厚い人工肺本体２２Ａに装着されるときには、ガス交換部１５ａを適切に保護し、かつ、薄い人工肺本体２２Ｂに対しても支障なく装着可能とすることができる。
【００４１】
なお、人工肺本体の厚さは、２種類に限られることはない。すなわち、第２枠体に設ける係合穴の列を３列以上にすれば、より多種類の厚さの人工肺本体に対しても、容易に適合可能である。
【００４２】
次に、第１枠体２４の係合爪２７、及び第２枠体２５の係合穴２９、３０の構造の詳細について、図１１及び図１２を参照して説明する。図１１（ａ）に示す第１枠体２４における丸Ａで囲った範囲で、係合爪２７の特徴部分を拡大して図１１（ｂ）に示す。また、図１２（ａ）における丸Ｂで囲った範囲で、係合穴３０の特徴部分を拡大して図１２（ｂ）に示す。なお、係合穴２９の特徴部分も、係合穴３０の場合と同様である。
【００４３】
図１１（ｂ）に示すように、係合爪２７は基本的な係合部として、係合片２６の面と交差する方向、すなわち垂直方向の上方に突出する縦方向凸部２７ａを形成している。更に、係合片２６の一方の側縁から横方向に突出する横方向凸部２７ｂも形成されている。図では、横方向凸部２７ｂは外側に向かって突出している。
【００４４】
一方、図１２（ｂ）に示す横方向内端縁３０ａが、係合穴３０の基本的な係合部を構成する。横方向内端縁３０ａは、係合穴３０の内周の端縁（内端縁）のうち左右方向に伸びる部分である。係合穴３０にはさらに、横方向内端縁３０ａの一方の側部から上下方向に伸びる縦方向端縁３０ｂが形成されている。係合爪２７と係合穴３０の係合時には、横方向凸部２７ｂが縦方向端縁３０ｂに当接するように構成されている。
【００４５】
以上のように、縦方向凸部２７ａと横方向内端縁３０ａの当接と同時に、横方向凸部２７ｂと縦方向端縁３０ｂの当接を併せて、係合爪２７と係合穴３０の係合が形成される。従って、係合爪２７と係合穴３０の係合の解放するためには、縦方向凸部２７ａと横方向内端縁３０の当接を上下方向に外すとともに、横方向凸部２７ｂと縦方向端縁３０ｂの当接を左右方向に外すことが必要である。
【００４６】
例えば、縦方向凸部２７ａと横方向内端縁３０ａのみの当接により係合が形成される構造の場合、第１枠体２４と第２枠体２５に対して、上下方向に相対的に変位する力が作用したときに、容易に係合が外れる恐れがある。これに対して、上記構成であれば、上下方向と左右方向に同時に力を作用させた場合にのみ係合が外れるので、係合が維持される確実性が高い。この効果は、上述のような、本実施の形態の基本的な目的を達成するための構造との組みあわせにおいて、特に利点がある。
【００４７】
すなわち、厚さの異なる２種類の人工肺本体２２Ａ、２２Ｂに対してそれぞれ適合可能なように保護カバー２３が構成されると、係合穴２９または係合穴３０のいずれか一方に対する係合爪２７の係合が、若干甘くなる可能性を回避することは困難である。これに対して、係合爪２７及び係合穴２９、３０が上述の係合構造を持つことにより、いずれの場合であっても、係合を確実に維持することが可能となる。
【００４８】
但し、係合爪２７及び係合穴２９、３０の上述のような係合構造は、必須ではない。すなわち、例えば製造上の精度を十分に管理すれば、一方の係合構造だけ、例えば、縦方向凸部２７ａと横方向内端縁３０ａのみの当接であっても、実用上、十分な係合を得ることができる。
【産業上の利用可能性】
【００４９】
本発明の人工肺の保護カバーによれば、厚さの異なる複数種類のサイズの人工肺本体に対して容易に適合させることが可能であり、体外血液循環等に用いる人工肺に有用である。
【符号の説明】
【００５０】
１  貯血槽
２  人工肺
３  連結部材
４  本体部
５  貯血室
６  血液流出ポート
７  支持部
８、１１  結合部
８ａ  円筒状外周面
９  第１嵌合部
９ａ  円筒状内周面
１０  第２嵌合部
１２  ホルダ
１３  係止レバー
１４  熱交換部
１５  ガス交換部
１６、１７  血液ポート
１８、１９  冷温水ポート
２０、２１  ガスポート
２２  人工肺本体
２３  保護カバー
２４  第１枠体
２４ａ、２５ａ  円孔
２５  第２枠体
２６  係合片
２７  係合爪
２７ａ  縦方向凸部
２７ｂ  横方向凸部
２８  肩部
２９、３０  係合穴
３０ａ  横方向内端縁
３０ｂ  縦方向端縁
３１  側壁部
３２  調整側壁
３３  分離境界部
【図１】
0005906891.tif 000002
【図２】
0005906891.tif 000003
【図３】
0005906891.tif 000004
【図４】
0005906891.tif 000005
【図５】
0005906891.tif 000006
【図６】
0005906891.tif 000007
【図７】
0005906891.tif 000008
【図８】
0005906891.tif 000009
【図９】
0005906891.tif 000010
【図１０】
0005906891.tif 000011
【図１１】
0005906891.tif 000012
【図１２】
0005906891.tif 000013